(57)【要約】【課題】多心アダプタに光コネクタプラグを挿入した状態で当該プラグに下方向に引っ張る応力や、光アダプタ用ホルダに対するアダプタの押し方向への応力等が作用しても、光アダプタ用ホルダから多心アダプタが抜けないよう確実に多心アダプタを当該ホルダに保持させておくことができる光アダプタ用ホルダ装置を提供する。【解決手段】一対の対向するＬＣ形光コネクタプラグＰ１、Ｐ２を相互接続するための多心アダプタ（１）を装着する光アダプタ用ホルダ５１であって、該光アダプタ用ホルダ５１は、略角筒状の筐体内に補強用中間仕切部５２を介して隣接配置された複数の収納部Ｓを備え、該収納部Ｓ内に前記多心アダプタ（１）を嵌合配置して形成されるものである。【選択図】図８
2017151338.tif 000002
【特許請求の範囲】
【請求項１】
一対の対向するＬＣ形光コネクタプラグを相互接続するための多心アダプタを収納する光アダプタ用ホルダ装置であって、略角筒状の筐体内に補強用中間仕切部を介して隣接配置された複数の収納部を有する光アダプタ用ホルダを備え、該光アダプタ用ホルダの各収納部内に前記多心アダプタを嵌合配置して形成されることを特徴とする光アダプタ用ホルダ装置。
【請求項２】
前記光アダプタ用ホルダの左右内壁面に形成された突起部と、該突起部を嵌合し係止するための前記多心アダプタの左右外壁面に形成されている凹部とによる引張方向抜け止め部を有することを特徴とする請求項１記載の光アダプタ用ホルダ装置。
【請求項３】
前記光アダプタ用ホルダの底部内壁面に形成された前方向下り段差状の係止段部と、該係止段部に係止されるための前記多心アダプタの底部外壁面に形成されている後方向上り段差状の被係止段部とによる押し方向抜け止め部を有することを特徴とする請求項１記載の光アダプタ用ホルダ装置。
【発明の詳細な説明】
【技術分野】
【０００１】
本発明は、シャッタ付きの２心アダプタを複数の収納部を有する光アダプタホルダの各収納部内に嵌合配置して形成される光アダプタホルダ装置に関する。
【背景技術】
【０００２】
従来、本件出願の先願である特許文献１に示すように、コネクタハウジングの両端に、光学軸が一致するようにＬＣ形光コネクタプラグの嵌合部をそれぞれ備え、コネクタハウジング内部には、両端の嵌合部から挿入されるＬＣ形光コネクタプラグ先端部を各装着保持するスリーブホルダーが配されて成り、前記コネクタハウジングの少なくとも一方の嵌合部内に、斜め配置で当該嵌合部を閉鎖するシャッター板と、このシャッター板を閉鎖方向へ付勢する板バネとを配設し、前記コネクタハウジングの嵌合部からＬＣ形光コネクタプラグを挿入し、前記スリーブホルダーに嵌合させることによって、前記シャッター板を板バネの押圧力に抗して開放させるように構成したＬＣ形光コネクタ相互接続用アダプタであって、前記コネクタハウジングの側壁内側には、ＬＣ形光コネクタプラグをその嵌合部より挿入ガイドするガイド溝条と、前記シャッター板の揺動に適合する窪み部とを有し、前記ガイド溝条は、前記窪み部の形成によって同一平面状となるよう当該ガイド溝条の一部を切欠して構成したことを特徴とするＬＣ形光コネクタ相互接続用アダプタが本件出願人によって提案されている。
【０００３】
この場合、前記光コネクタの嵌合部においてシャッタ板自体が斜め配置されていることから、ＬＣ形光コネクタプラグのフェルール先端が嵌合部手前から内方に向けて確実に水平方向に沿って挿入されれば、フェルール先端の角部がシャッタ板の前面を押し退けるようにして当該シャッタ板が開放されるので、フェルール先端のコア部をシャッタ板によって損傷させる虞はないものとなっている。
【先行技術文献】
【特許文献】
【０００４】
【特許文献１】特開２０１４−１３９６３３号公報
【発明の概要】
【発明が解決しようとする課題】
【０００５】
ところで、従来のＬＣ形光コネクタ用アダプタは、ハウジングの両端における嵌合端に嵌入されるそれぞれのＬＣ形光コネクタプラグの光学軸を、互いに一致させる構造に形成されている。このとき、シャッタ付きの２心アダプタを例えば６個以上収納して多心アダプタとして使用できるようホルダに装着し、当該アダプタに光コネクタプラグを挿入した状態でプラグ自体（プラグのブーツ後方に延出したコード等）を下方向に引っ張ると、前記ホルダに下方向への応力が作用して撓み広がってしまい、終にはホルダからアダプタが抜けてしまう虞があった。
【０００６】
そこで、本件出願人は、多心アダプタである例えばシャッタ付きの２心アダプタを複数（例えば６個以上）収納できるようなホルダに装着し、当該多心アダプタに光コネクタプラグを挿入した状態において、当該プラグに下方向に引っ張る応力や、ホルダに対するアダプタの押し方向への応力等が作用しても、前記ホルダから多心アダプタが抜けないよう確実に当該多心アダプタを前記ホルダに装置保持させておくことができる光アダプタ用ホルダ装置を提供することを目的とする。
【課題を解決するための手段】
【０００７】
上述した課題を解決するために、本発明にあっては、一対の対向するＬＣ形光コネクタプラグを相互接続するための多心アダプタを収納する光アダプタ用ホルダ装置であって、略角筒状の筐体内に補強用中間仕切部を介して隣接配置された複数の収納部を有する光アダプタ用ホルダを備え、該光アダプタ用ホルダの各収納部内に前記多心アダプタを嵌合配置して形成されることを特徴とする。
【０００８】
前記光アダプタ用ホルダの左右内壁面に形成された突起部と、該突起部を嵌合し係止するための前記多心アダプタの左右外壁面に形成されている凹部とによる引張方向抜け止め部Ｐを有することを特徴とする。
【０００９】
前記光アダプタ用ホルダの底部内壁面に形成された前方向下り段差状の係止段部と、該係止段部に係止されるための前記多心アダプタの底部外壁面に形成されている後方向上り段差状の被係止段部とによる押し方向抜け止め部を有することを特徴とする。
【発明の効果】
【００１０】
本発明によれば、略角筒状の筐体内に補強用中間仕切部を介して隣接配置された複数の収納部を有する光アダプタ用ホルダを備え、該光アダプタ用ホルダの各収納部内に多心アダプタを嵌合配置して形成されて成るので、例えばシャッタ付きの多心アダプタを複数（例えば２心アダプタを６個以上）収納できるようなホルダに装着し、当該多心アダプタに光コネクタプラグを挿入した状態で当該プラグに下方向に引っ張る応力や、ホルダに対するアダプタの押し方向への応力等が作用しても、ホルダから多心アダプタが抜けないように保持させておくことができる。
【００１１】
前記光アダプタ用ホルダの左右内壁面に形成された突起部と、該突起部を嵌合し係止するための前記多心アダプタの左右外壁面に形成されている凹部とによる引張方向抜け止め部を有するので、多心アダプタに光コネクタプラグを挿入した状態で当該プラグに下方向に引っ張る応力が作用しても、ホルダから多心アダプタが抜けないよう確実に多心アダプタをホルダに保持させておくことができる。
【００１２】
前記光アダプタ用ホルダの底部内壁面に形成された前方向下り段差状の係止段部と、該係止段部に係止されるための前記多心アダプタの底部外壁面に形成されている後方向上り段差状の被係止段部とによる押し方向抜け止め部を有するので、多心アダプタに光コネクタプラグを挿入した状態でホルダに対するアダプタの押し方向への応力等が作用しても、ホルダから多心アダプタが抜けないよう確実に多心アダプタをホルダに保持させておくことができる。
【図面の簡単な説明】
【００１３】
【図１】本発明を実施するための最良の形態におけるＬＣ形光コネクタ相互接続用の２心アダプタを示す分解斜視図である。
【図２】同じく２心アダプタの組立後の斜視図である。
【図３】同じく２心アダプタを示し、（ａ）は平面図、（ｂ）は正面図、（ｃ）は底面図、（ｄ）は左側面図、（ｅ）は右側面図である。
【図４】ホルダの各収納部内に複数の２心アダプタを順次嵌合配置する状態を示す斜視図である。
【図５】同じくホルダの各収納部内に複数の２心アダプタを嵌合配置した状態を示す斜視図である。
【図６】図６中（ａ）は、ホルダの各収納部内に複数の２心アダプタを順次嵌合配置する状態を示す正面図、図６中（ｂ）は、同上の平面図である。
【図７】同じくホルダの各収納部内に複数の２心アダプタを順次嵌合配置する状態を示す側面図である。
【図８】図７のＸ−Ｘ断面を斜め上側から視た状態の斜視図である。
【図９】ホルダの各収納部内に複数の２心アダプタを嵌合配置した状態を示す一部切欠の斜視図である。
【図１０】ホルダの各収納部内に複数の２心アダプタを嵌合配置した状態を示す縦断側面図である。
【図１１】本実施形態の変形例を示すもので、図１１中（ａ）は８心アダプタ用のホルダを示す斜視図、図１１中（ｂ）は８心アダプタ用のホルダの各収納部内に４個の２心アダプタを各嵌合配置した状態の拡大斜視図である。
【図１２】本実施形態の他の変形例を示すもので、図１２中（ａ）は１２心アダプタ用のホルダを示す斜視図、図１２中（ｂ）は１２心アダプタ用のホルダの各収納部内に６個の２心アダプタを各嵌合配置した状態の拡大斜視図である。
【図１３】ホルダに嵌合配置されたＬＣ形光コネクタ相互接続用の２心アダプタへのＬＣ形光コネクタプラグの挿入途中の過程を説明するもので、挿入によりシャッタ板が押されて傾倒している状態の中央縦断面図である。
【図１４】ＬＣ形光コネクタ相互接続用の２心アダプタの両方向からＬＣ形光コネクタプラグを差し込んだ状態の縦断面図である。
【発明を実施するための形態】
【００１４】
以下、図面を参照して本発明を実施するための最良の一形態を詳細に説明する。
【００１５】
＜光アダプタの構成＞
本実施形態においては、図１乃至図３に示すように、一対の対向するＬＣ形光コネクタプラグＰ１、Ｐ２（後述の図１３及び図１４参照）を相互接続するための２心用のＬＣ形光コネクタ相互接続用アダプタ（以後は２心アダプタと略称する）を構成するコネクタハウジング１を備えている。
【００１６】
このコネクタハウジング１は、上側壁１ａと左右の側壁１ｂとが正面視略コ字枠状となって一体に形成されるとともに、さらに底壁１ｃが上側壁１ａに対向して左右の側壁１ｂ間に取り付けられることで全体として、一対の対向するＬＣ形光コネクタプラグＰ１、Ｐ２を両端から相互に挿入可能とする嵌合部Ａ、Ｂを両端に備えた矩形状の筒体となって形成される。
【００１７】
また、前記２心アダプタのコネクタハウジング１の左右側壁１ｂの各外面後方側には、縦溝状の凹部５８が形成され、これに対応すべく後述する光アダプタ用ホルダ５１の左右内壁面後方側には突起部５７（後述する図８参照）を形成してある。これら突起部５７と凹部５８とにより引張方向抜け止め部Ｐが構成され、当該凹部５８への突起部５７の嵌合により、光アダプタ用ホルダ５１から前記２心アダプタのコネクタハウジング１が容易に引き抜けられないようしてある。
【００１８】
また、前記２心アダプタのコネクタハウジング１の底部外壁面（底壁１ｃ）には、コネクタハウジング１後方へ向けて上り段差状となった被係止段部１１ｅが形成されており、これに対応すべく後述する光アダプタ用ホルダ５１の底部内壁面に前方へ向けて下り段差状となった係止段部５９（後述する図８、図９、図１０、図１３、図１４参照）が形成されている。これら被係止段部１１ｅと係止段部５９とにより押し方向抜け止め部Ｑが構成され、当該係止段部５９の被係止段部１１ｅへの係合により、光アダプタ用ホルダ５１から前記２心アダプタのコネクタハウジング１が容易に押し抜けられないようしてある。
【００１９】
なお、図１、図２、図３（ａ）、図４、図６に示す符号６３は、前記コネクタハウジング１の肉盗み用の窪みであり、また図１、図３（ｃ）に示す符号６２は、後述する中間仕切部７の下端に形成された位置決め用突起６１を嵌合するための位置決め用孔である。
【００２０】
前記コネクタハウジング１内部の上側壁１ａ内側中央には、図９及び図１０、と図１３及び図１４に示すように、嵌合凹部６ａが下端中央に形成された仕切突起６ｂが垂設されており、当該嵌合凹部６ａにはスリーブホルダ５を構成する一対の接合端壁部材３ａ、３ｂの各上端部が互いに合致した状態で嵌入されている。このコネクタハウジング１の中央部に配される一方の接合端壁部材３ａには、一方の円筒５ａが一方の嵌合部Ａに向かって突設してあると共に、他方の接合端壁部材３ｂには、他方の円筒５ｂが他方の嵌合部Ｂに向かって突設してある。
【００２１】
すなわち、前記スリーブホルダ５は前記接合端壁部材３ａ、３ｂを介して両円筒５ａ、５ｂが後端面を当接した状態においてそれぞれ反対向きに突出配置されて形成されている。そして、当該スリーブホルダ５の構成部材たる隣接する両円筒５ａ、５ｂ内に、一個の割りスリーブ６が内挿された状態となって配置される。
【００２２】
また、図１、図２、図９、図１０、図１３、図１４に示すように、前記コネクタハウジング１内部の左右の側壁１ｂ上側には、長手方向に沿って、ＬＣ形光コネクタプラグＰ１、Ｐ２を挿入ガイドするための下側にガイド突条７ａを備えた内向きコ字形状の凹溝部７ｂが水平方向に形成されている。これらガイド突条７ａおよび凹溝部７ｂは、ＬＣ形光コネクタプラグＰ１、Ｐ２の凹凸外形状に対応している。また、一方の嵌合部Ａにおける上側壁１ａ内中央には、ＬＣ形光コネクタプラグＰ１、Ｐ２挿入時のガイドのために、光軸方向に沿って直線溝条となったキー溝１２が形成されている。
【００２３】
なお、図１、図２、図３（ｄ）、図３（ｅ）、図５、図７、図９乃至図１４に示すように、既述した実施形態で採用されているコネクタハウジング１の一方の嵌合部Ａの上端には、弧状の切欠き部１ｄを形成してある。また、他方の嵌合部ＢにはＬＣ形光コネクタプラグＰ２を挿入する代わりに他の光学部品、例えばＳＣ型光コネクタプラグやその他のプラグ等を挿入しても良い。
【００２４】
前記コネクタハウジング１の一方の嵌合部Ａには、斜め配置で当該嵌合部Ａを閉鎖するためのシャッタ板１１が内側で開閉可能となるように配置されている。すなわち、このシャッタ板１１は、図１、図２、図３（ｄ）、図３（ｅ）、図７、図８乃至図１０、図１３、及び図４に示すように、その下端水平位置に支軸１５を一体突設し、該支軸１５両端の対称位置に設けられた突部１５ａを、嵌合部Ａの嵌合端下部の左右対向位置における底壁１ｃ、左右の側壁１ｂそれぞれに跨って形成された軸孔１６に回動可能に支承させてある。
【００２５】
そして、これらシャッタ板１１下端と支軸１５とが連設されている略中央には矩形状の開口部１７が形成され、該開口部１７を介して、略Ｌ字形状に折曲して形成された金属製の板バネ１８を支軸１５中央に外嵌合させるとともに、この板バネ１８の一端を底壁１ｃ内面に形成されている矩形状の凹部１１ａ（シャッタ板１１の全面に対応する大きさと厚みを有している）に圧接させ、板バネ１８の他端をシャッタ板１１の内側面に圧接させることで当該シャッタ板１１を閉鎖方向に付勢している。
【００２６】
また、図９、図１０、図１３、及び図１４に示すように、シャッタ板１１を開閉揺動可能となるよう左右の側壁１ｂそれぞれには、軸孔１６を所謂扇の要とする扇型の窪み部１１ｂが形成してある。このとき、該窪み部１１ｂは、前記ガイド突条７ａ、凹溝部７ｂの一部を切欠形成してある。さらに、コネクタハウジング１の嵌合部Ａの左右の側壁１ｂそれぞれの内壁面において、前記窪み部１１ｂの上端縁（シャッタ板１１の閉鎖移動端）には、上記ガイド突条７ａ、凹溝部７ｂにわたって段差状の突当面１１ｃが形成され、前記シャッタ板１１の閉鎖方向揺動時において当該シャッタ板１１の可動部側面を係止させるものとなっている。一方、前記窪み部１１ｂにおけるシャッタ板１１の突当面１１ｃと凹部１１ａの外端には回動時の当該シャッタ板１１の先端側に沿って弧状のガイド部１１ｆが形成されている。
【００２７】
而して、前記シャッタ板１１には、ＬＣ形光コネクタプラグＰ１がコネクタハウジング１の嵌合部Ａ手前において斜め上方向側から挿入される際に、後述するフェルール２４（図１３、図１４参照）先端部がシャッタ板１１前面に接触しないよう窪み状の逃げ部３０が形成されている。すなわち、この逃げ部３０は、フェルール２４先端側を非接触状態で受け入れるためにシャッタ板１１の開口部１７上側に前面側から内側に向けて略台形状に窪ませた状態（シャッタ板１１の後面では略台形状に突出する）となって形成されている。
【００２８】
具体的には、この逃げ部３０は、図９、図１０、図１３、及び図１４に示すように、シャッタ板１１の前面から左右で垂直に落ち込む左右両壁面３０ａ、３０ａと、既述開口部１７上側においてシャッタ板１１の前面から急峻な傾斜となって落ち込む下方側傾斜面３０ｃと、下方側傾斜面３０ｃに対向するようシャッタ板１１の前面から緩やかな傾斜となって落ち込む上方側傾斜面３０ｄと、左右両壁面３０ａ、３０ａ、下方側傾斜面３０ｃ、上方側傾斜面３０ｄそれぞれによって囲まれる矩形の底面３０ｅとによる全体略台形状の窪みとなって形成されている。
【００２９】
このとき、前記逃げ部３０の上方側傾斜面３０ｄは、ＬＣ形光コネクタプラグＰ１がコネクタハウジング１の嵌合部Ａ手前から斜め上方向から挿入される際のフェルール２４先端部に対する逃げスロープが形成されると共に、前記逃げ部３０の下方側傾斜面３０ｃは、ＬＣ形光コネクタプラグＰ１がコネクタハウジング１の嵌合部Ａ手前から水平方向に沿って挿入される際のフェルール２４先端部に対する逃げスロープが形成されている。
【００３０】
また、前記シャッタ板１１の逃げ部３０は、フェルール２４先端部を非接触状態で受け入れると同時に、ＬＣ形光コネクタプラグＰ１のフェルール２４周囲を覆うよう備えられた円筒状のカップリングスリーブ２１の先端開口縁部によってシャッタ板１１が押し退けられて開放されるものとしてある。このとき、前記コネクタハウジング１には、ＬＣ形光コネクタプラグＰ１挿入時におけるガイドのためのキー溝１２に加えてＬＣ形光コネクタプラグＰ１を挿入ガイドするための下側にガイド突条７ａを備えた内向きコ字形状の凹溝部７ｂが水平方向に形成されていることから、挿入過程に伴ってＬＣ形光コネクタプラグＰ１自体が自然に水平状態を維持する。
【００３１】
さらに、前記シャッタ板１１の全面に対応する大きさと厚みを有して底壁１ｃ内面に形成された矩形状の凹部１１ａには、当該シャッタ板１１の後面から突出した逃げ部３０の後壁面を受け入れるための断面略台形状の開口部１１ｄが形成されている。この開口部１１ｄは、コネクタハウジング１の底壁１ｃ下面に装着された後述する光アダプタ用ホルダ５１の底板８ｃによって閉塞される。さらに、前記した板バネ１８は、シャッタ板１１の後面に支持される他端が逃げ部３０の後壁面を避けるように内側に向けて略円弧状に湾曲させてあり、前記遮蔽板８上において、底壁１ｃ内面の凹部１１ａに支持される一端が当該凹部１１ａに形成されている開口部１１ｄ内に係合されるよう略くの字状に屈曲させてある(図１４参照）。
＜光アダプタ用ホルダの構成＞
【００３２】
図４乃至図９に示すように、光アダプタ用ホルダ５１は、一対の対向するＬＣ形光コネクタプラグＰ１，Ｐ２を相互接続するための２心アダプタのコネクタハウジング１を複数個収納可能とする矩形開口状の複数の収納部Ｓを有している。すなわち、本図において光アダプタ用ホルダ５１は、天板８ａ、左右側板８ｂ及び底板８ｃから成る略角筒状の筐体内を横３つに仕切るための２つの補強用中間仕切部５２を介して３個の収納部Ｓが隣接配置されている。
【００３３】
また、図８に示すように、前記光アダプタ用ホルダ５１の収納部Ｓの左右内壁面後方側には突起部５７を各形成してあり、これに対応すべく前記２心アダプタのコネクタハウジング１の左右側壁１ｂの各外面後方側には、既述の如く縦溝状の凹部５８が形成されている。これら突起部５７と凹部５８とにより引張方向抜け止め部Ｐを構成している。すなわち、引張方向抜け止め部Ｐは、ホルダ１５の突起部５７の凹部５８への嵌合により、２心アダプタに光コネクタプラグＰ１を挿入した状態で当該プラグに下方向に引っ張る応力が作用しても、前記光アダプタ用ホルダ５１から前記コネクタハウジング１が容易に引き抜けられないようしてある。
【００３４】
また、既述した如く図８、図９、図１０、図１３、図１４に示すように、前記光アダプタ用ホルダ５１の底部内壁面に前方へ向けて下り段差状となった係止段部５９が形成されており、これに対応すべく前記２心アダプタのコネクタハウジング１の底部外壁面には、コネクタハウジング１後方へ向けて上り段差状となった被係止段部１１ｅが形成されている。これら被係止段部１１ｅと係止段部５９とにより押し方向抜け止め部Ｑを構成している。すなわち、押し方向抜け止め部Ｑは、係止段部５９の被係止段部１１ｅへの係合により、２心アダプタに光コネクタプラグＰ１を挿入した状態で前記光アダプタ用ホルダ５１から前記コネクタハウジング１が後方へ容易に押し抜けられないようしてある。
【００３５】
さらに、図４乃至図９に示すように、前記光アダプタ用ホルダ５１の左右外壁面には、縦長矩形状のフランジ部５６と、該フランジ部５６の後側において切込部５４を介して弾性を付与した状態で前方に向けて突設された係止突片５５とが形成されている。前記光アダプタ用ホルダ５１が不図示の取付プレートの取付孔部に取り付けられたとき、前記フランジ部５６と係止突片５５との間に取付孔部の開口縁部が挟持されつつ、前記係止突片５５の弾性力によって取付孔部からの光アダプタ用ホルダ５１の抜けが阻止される。なお、図中における符号５３は、前記コネクタハウジング１の切欠き部１ｄに対応した形状の光アダプタ用ホルダ５１の切欠き部である。
＜変形例＞
【００３６】
図１１（ａ）、（ｂ）は、前記光アダプタ用ホルダ５１の変形例であり、この場合、２心アダプタのコネクタハウジング１を４個収納可能とする矩形開口状の４固の収納部Ｓを有している。すなわち、前記光アダプタ用ホルダ５１は、角筒状の筐体内を横４つに仕切るための３つの補強用中間仕切部５２を介して４個の収納部Ｓが隣接配置されている。このような変形例においても、上記した本実施形態と同様な作用効果を有している。
【００３７】
また、図１２（ａ）、（ｂ）は、前記光アダプタ用ホルダ５１の他の変形例であり、この場合、２心アダプタのコネクタハウジング１を６個収納可能とする矩形開口状の６固の収納部Ｓを備えている。すなわち、前記光アダプタ用ホルダ５１は、角筒状の筐体内を横６つに仕切るための５つの補強用中間仕切部５２を介して６個の収納部Ｓが隣接配置されている。このような変形例においても、上記した本実施形態と同様な作用効果を有している。この他、前記光アダプタ用ホルダ５１として、１２心以上の収納部Ｓを有するように形成しても良い。
【００３８】
而して、前記ＬＣ形光コネクタプラグＰ１（Ｐ２）は、図１３及び図１４に示すように、比較的高強度なプラスチックから成るカップリングスリーブ２１と、このカップリングスリーブ２１内にてフェルール用チューブおよびフェルールフレームに装着されたフェルール２４と、フェルールフレームの後端部外周に装着されるスプリングと、このスプリングを介してフェルールフレームの後端部に嵌合するプラスチック製の本体フレーム２６とを具備する。
【００３９】
また、カップリングスリーブ２１の外周面には、コネクタハウジング１の両端に設けられた嵌合部Ａ、Ｂ内の上側に配設された内向きコ字形状の凹溝部７ｂに係合しつつ挿入される左右一対の係合突起２８ａを有し、且つ前記コネクタハウジング１の上壁部１ａ内中央に設けられたキー溝１２との係合およびその解除を行うための解除レバー２８が当該カップリングスリーブ２１に一体的に設けられている。この解除レバー２８は、カップリングスリーブ２１の先端部から後端部に向かって徐々に当該カップリングスリーブ２１外表面から離れるように傾斜して延設されており、その後端部は、本体フレーム２６の外周面に形成されたラッチレバー２９に当接するようカップリングスリーブ２１とは反対側に傾斜状に突出している。
【００４０】
こうして前記コネクタハウジング１の一方の開口側（例えば嵌合部Ａ）から装着されるＬＣ形光コネクタプラグＰ１のフェルール２４がスリーブホルダ５の一方側に嵌合すると共に、これと光接続されるＬＣ形光コネクタプラグＰ２のフェルール２４がスリーブホルダ５の他方側に嵌合することで、両円筒５ａ、５ｂ相互に跨って内装された割りスリーブ６を介して、この両フェルール２４先端を当接しつつ軸方向に整列されたものとなる（図１４参照）。
【００４１】
次に、以上のように構成された最良の形態についての組立、使用の一例について説明する。
【００４２】
前記ＬＣ形光コネクタ用アダプタの組立に際し、図１および図３に示すように、スリーブホルダ５を形成する両円筒５ａ、５ｂ間内に、割りスリーブ６を装着した状態で、両円筒５ａ、５ｂを光学軸上で中心軸を一致させて接合端壁部材３ａ、３ｂ同士を係合固定する。そして、このスリーブホルダ５をコネクタハウジング１の上側壁１ａ中央の仕切突起６ｂの嵌合凹部６ａに組み込む。
【００４３】
これと同時に、シャッタ板１１の開口部１７を介して、板バネ１８を支軸１５中央に外嵌合させてから、当該シャッタ板１１の支軸１５両端の突部１５ａを底壁１ｃの軸孔１６に載せ、底壁１ｃ上に、正面視略コ字状の上側壁１ａの左右に配設された一対の側壁１ｂをそれぞれ組み込む。これにより２心アダプタが完成する(図２参照)。
【００４４】
そして、例えば前記角筒状の光アダプタ用ホルダ５１の３つの収納部Ｓ内に２心アダプタ（コネクタハウジング１）を各嵌合配置して６心アダプタと成す。このとき、図８に示すように、引張方向抜け止め部Ｐにおいては、ホルダ１５の突起部５７がコネクタハウジング１の凹部５８へ嵌合し、押し方向抜け止め部Ｑにおいては、光アダプタ用ホルダ５１の係止段部５９にコネクタハウジング１の被係止段部１１ｅが係合する。
【００４５】
また、図９、図１０に示すように、前記板バネ１８の一端が底壁１ｃの凹部１１ａに形成されている開口部１１ｄを介して、当該開口部１１ｄを閉塞している光アダプタ用ホルダ５１の底板８ｃに圧接され、他端がシャッタ板１１の逃げ部３０後壁面に圧接されることで、当該シャッタ板１１を、一方の嵌合部Ａにおける嵌合端を閉鎖する方向に略傾斜状態で付勢する。なお、前記シャッタ板１１の開放時では、開口部１１ｄにおいて板バネ１８の一端が逃げ部３０の後壁面と光アダプタ用ホルダ５１の底板８ｃとによって挟持される。
【００４６】
すなわち、前記ＬＣ形光コネクタ用アダプタの使用に際し、先ず、前記コネクタハウジング１の一方の嵌合部ＡにＬＣ形光コネクタプラグＰ１を嵌合させる前では、シャッタ板１１は、略Ｌ字型の板バネ１８の拡開方向への弾発力により、一方の嵌合部Ａにおける嵌合端を閉鎖している。このとき、前記シャッタ板１１の可動部側面は、前記コネクタハウジング１の左右側壁１ｂの窪み部１１ｂ外端に形成された弧状のガイド部１１ｆに沿って上方に向って回動後に段差状の突当面１１ｃに突き当って係止される。
【００４７】
図１３に示すように、前記ＬＣ形光コネクタプラグＰ１をコネクタハウジング１の嵌合部Ａ内へ押し込むと、前記コネクタハウジング１の嵌合部Ａのキー溝１２に加えて、下側にガイド突条７ａを備えた内向きコ字形状の凹溝部７ｂの存在により、挿入過程に伴ってＬＣ形光コネクタプラグＰ１自体が自然に水平状態となって挿入される。そして、ＬＣ形光コネクタプラグＰ１が嵌合部Ａ内へ完全に押し込まれ、フェルール２４がスリーブホルダ５の一方側に嵌合した際には、板バネ１８の弾発力によって、シャッタ板１１と、コネクタハウジング１の上側壁１ａとの間でＬＣ形光コネクタプラグＰ１がしっかりと挟持された状態となって接続作業が完了する。このとき、板バネ１８の一端は、開口部１１ｄにおいて逃げ部３０の後壁面と光アダプタ用ホルダ５１の底板８ｃの内面とによって挟持された状態となる。
【００４８】
以上、説明したように、本実施形態においては、前記光アダプタ用ホルダ５１の左右内壁面に形成された突起部５７と、該突起部５７を嵌合し係止するための前記２心アダプタのコネクタハウジング１の左右外壁面に形成されている凹部５８とによる引張方向抜け止め部Ｐを有するので、２心アダプタに光コネクタプラグＰ１を挿入した状態で当該プラグに下方向に引っ張る応力が作用しても、光アダプタ用ホルダ５１から２心アダプタが抜けないよう確実に２心アダプタを光アダプタ用ホルダ５１に保持させておくことができる。
【００４９】
また、前記光アダプタ用ホルダ５１の底部内壁面に形成された前方向下り段差状の係止段部５９と、該係止段部５９に係止されるための前記２心アダプタのコネクタハウジング１の底部外壁面に形成されている後方向上り段差状の被係止段部１１ｅとによる押し方向抜け止め部Ｑを有するので、２心アダプタに光コネクタプラグＰ１を挿入した状態で光アダプタ用ホルダ５１に対する２心アダプタの押し方向への応力等が作用しても、光アダプタ用ホルダ５１から２心アダプタが抜けないよう確実に２心アダプタを光アダプタ用ホルダ５１に保持させておくことができる。
【符号の説明】
【００５０】
Ｐ          引張方向抜け止め部
Ｑ          押し方向抜け止め部
Ｓ          収納部
Ｐ１、Ｐ２  ＬＣ形光コネクタプラグ
Ａ          一方の嵌合部
Ｂ          他方の嵌合部
１          コネクタハウジング
１ａ        上側壁
１ｂ        左右側壁
１ｃ        底壁
１ｄ        切欠き部
３ａ、３ｂ  接合端壁部材
４ａ        係合爪
４ｂ        係合部
５          スリーブホルダ
５ａ        一方の円筒
５ｂ        他方の円筒
６          割りスリーブ
６ａ        嵌合凹部
６ｂ        仕切突起
７ａ        ガイド突条
７ｂ        凹溝部
８ａ        天板
８ｂ        左右側板
８ｃ        底板
９ａ、９ｂ  固定金具
１０ａ      係止突起
１０ｂ      係止孔
１１        シャッタ板
１１ａ      凹部
１１ｂ      窪み部
１１ｃ      突当面
１１ｄ      開口部
１１ｅ      被係止段部
１１ｆ      ガイド部
１２        キー溝
１５        支軸
１５ａ      突部
１６        軸孔
１７        開口部
１８        板バネ
２１        カップリングスリーブ
２４        フェルール
２６        本体フレーム
２８        解除レバー
２８ａ      係合突起
２９        ラッチレバー
３０        逃げ部
３０ａ      左右壁面
３０ｃ      下方側傾斜面
３０ｄ      上方側傾斜面
３０ｅ      底面
５１        光アダプタ用ホルダ
５２        補強用中間仕切部
５３        切欠き部
５４        切込部
５５        係止突片
５６        フランジ部
５７        突起部
５８        凹部
５９        係止段部
６１        位置決め用突起
６２        位置決め用孔
６３        肉盗み用の窪み
【図１】
2017151338.tif 000003
【図２】
2017151338.tif 000004
【図３】
2017151338.tif 000005
【図４】
2017151338.tif 000006
【図５】
2017151338.tif 000007
【図６】
2017151338.tif 000008
【図７】
2017151338.tif 000009
【図８】
2017151338.tif 000010
【図９】
2017151338.tif 000011
【図１０】
2017151338.tif 000012
【図１１】
2017151338.tif 000013
【図１２】
2017151338.tif 000014
【図１３】
2017151338.tif 000015
【図１４】
2017151338.tif 000016